【手続補正書】
【提出日】平成15年11月5日(2003.11.5)
【手続補正１】
【補正対象書類名】明細書
【補正対象項目名】発明の名称
【補正方法】変更
【補正の内容】
【発明の名称】プラズマディスプレイパネル
【手続補正２】
【補正対象書類名】明細書
【補正対象項目名】特許請求の範囲
【補正方法】変更
【補正の内容】
【特許請求の範囲】
【請求項１】
誘電体で覆われ、近接して平行に配置された第１の電極及び第２の電極の複数の対と、前記第１の電極及び第２の電極と直交してセルを形成するように配置された複数の第３の電極とを備え、第１の電極及び第２の電極との間のガス放電励起により表示を行うプラズマディスプレイパネルにおいて、前記第１の電極及び第２の電極に交互にパルス列を印加して表示放電を行う期間に、前記第１の電極及び第２の電極に交互に印加されるパルスに同期して、前記第３の電極に対して放電促進パルスを印加することを特徴とするプラズマディスプレイパネル。
【請求項２】
前記第３の電極に対して印加する放電促進パルスは、前記第１の電極及び第２の電極に印加されるパルスに先行して立ち上がることを特徴とする請求項１記載のプラズマディスプレイパネル。
【請求項３】
前記第３の電極に対して印加する放電促進パルスは、前記第１の電極及び第２の電極に印加されるパルスにより生じる放電の終了後速やかに立ち下がることを特徴とする請求項１記載のプラズマディスプレイパネル。
【請求項４】
前記第３の電極を少なくとも２つの組に分け、特定の組の第３の電極に対して前記放電促進パルスを印加すると共に、前記放電促進パルスは、前記第１の電極及び第２の電極に印加されるパルスに先行して立ち上がり、前記第１の電極及び第２の電極に印加されるパルスにより生じる放電の終了後速やかに立ち下がることを特徴とする請求項１記載のプラズマディスプレイパネル。
【請求項５】
前記第３の電極を少なくとも２つの組に分け、前記第１の電極及び第２の電極に交互に印加される表示放電を行うパルスの周期を単位とする時間ごとに、異なる第３の電極の組が選択され、かつ階調を表現する単位期間内において各々の第３の電極の組の選択される期間に含まれる前記表示放電を行うパルス数をすべてのセルにおいて均一にしたことを特徴とする請求項４記載のプラズマディスプレイパネル。
【手続補正３】
【補正対象書類名】明細書
【補正対象項目名】０００１
【補正方法】変更
【補正の内容】
【０００１】
【発明の属する技術分野】
この発明はＡＣ型プラズマディスプレイパネルのうち、特に面放電ＡＣ型プラズマディスプレイパネルに関する。


【手続補正４】
【補正対象書類名】明細書
【補正対象項目名】００１４
【補正方法】変更
【補正の内容】
【００１４】
この発明は上述のような問題点を解決するためになされたもので、輝度をほとんど変化させることなしに放電電流のピーク値を抑制することで、駆動回路の低コスト化を可能にし、表示不良の少ないプラズマディスプレイパネルを提供するものである。


【手続補正５】
【補正対象書類名】明細書
【補正対象項目名】００１５
【補正方法】変更
【補正の内容】
【００１５】
【課題を解決するための手段】
この発明のプラズマディスプレイパネルは、誘電体で覆われ、近接して平行に配置された第１の電極及び第２の電極の複数の対と、前記第１の電極及び第２の電極と直交してセルを形成するように配置された複数の第３の電極とを備え、第１の電極及び第２の電極との間のガス放電励起により表示を行うプラズマディスプレイパネルにおいて、前記第１の電極及び第２の電極に交互にパルス列を印加して表示放電を行う期間に、前記第１の電極及び第２の電極に交互に印加されるパルスに同期して、前記第３の電極に対して放電促進パルスを印加するものである。


【手続補正６】
【補正対象書類名】明細書
【補正対象項目名】００１６
【補正方法】変更
【補正の内容】
【００１６】
この発明のプラズマディスプレイパネルは、前記構成のプラズマディスプレイパネルにおいて、前記第３の電極に対して印加する放電促進パルスが、前記第１の電極及び第２の電極に印加されるパルスに先行して立ち上がるものである。


【手続補正７】
【補正対象書類名】明細書
【補正対象項目名】００１７
【補正方法】変更
【補正の内容】
【００１７】
この発明のプラズマディスプレイパネルは、前記構成のプラズマディスプレイパネルにおいて、前記第３の電極に対して印加する放電促進パルスが、前記第１の電極及び第２の電極に印加されるパルスにより生じる放電の終了後速やかに立ち下がるものである。


【手続補正８】
【補正対象書類名】明細書
【補正対象項目名】００１８
【補正方法】変更
【補正の内容】
【００１８】
この発明のプラズマディスプレイパネルは、前記構成のプラズマディスプレイパネルにおいて、前記第３の電極を少なくとも２つの組に分け、特定の組の第３の電極に対して前記放電促進パルスを印加すると共に、前記放電促進パルスは、前記第１の電極及び第２の電極に印加されるパルスに先行して立ち上がり、前記第１の電極及び第２の電極に印加されるパルスにより生じる放電の終了後速やかに立ち下がるものである。
また、この発明のプラズマディスプレイパネルは、前記構成のプラズマディスプレイパネルにおいて、前記第３の電極を少なくとも２つの組に分け、前記第１の電極及び第２の電極に交互に印加される表示放電を行うパルスの周期を単位とする時間ごとに、異なる第３の電極の組が選択され、階調を表現する単位期間内において各々の第３の電極の組の選択される期間に含まれる前記表示放電を行うパルス数をすべてのセルにおいて均一にしたものである。


【手続補正９】
【補正対象書類名】明細書
【補正対象項目名】００３２
【補正方法】変更
【補正の内容】
【００３２】
一般に維持放電の終了は維持パルスの電圧値、周波数に依存するが、従来のＰＤＰで用いられてきた維持パルス周波数（〜１００ｋＨｚ）程度では、放電促進パルスの立ち下がり時刻は、維持パルスの立ち上がりより１μｓとれば十分である。例外として、維持放電の開始時は放電種火粒子が不足するため維持放電の放電遅れが大きくなる傾向が大きくなることを考慮して、維持放電の初回に放電促進パルスを印加する場合には、初回の維持パルス印加から放電促進パルスの立ち下がりまでの時間を十分大きくしてやるのが望ましい。


【手続補正１０】
【補正対象書類名】明細書
【補正対象項目名】００３８
【補正方法】変更
【補正の内容】
【００３８】
【発明の効果】
この発明のプラズマディスプレイパネルによれば、誘電体で覆われ、近接して平行に配置された第１の電極及び第２の電極の複数の対と、前記第１の電極及び第２の電極と直交してセルを形成するように配置された複数の第３の電極とを備え、第１の電極及び第２の電極との間のガス放電励起により表示を行うプラズマディスプレイパネルにおいて、前記第１の電極及び第２の電極に交互にパルス列を印加して表示放電を行う期間に、前記第１の電極及び第２の電極に交互に印加されるパルスに同期して、前記第３の電極に対して放電促進パルスを印加するようにしたので、パルスが印加されたセルは維持放電において列電極−行電極間放電が加わるために、パルスを印加しないセルに比べて高い発光輝度を持つ。
【手続補正１１】
【補正対象書類名】明細書
【補正対象項目名】００３９
【補正方法】変更
【補正の内容】
【００３９】
この発明のプラズマディスプレイパネルによれば、前記構成のプラズマディスプレイパネルにおいて、前記第３の電極に対して印加する放電促進パルスが、前記第１の電極及び第２の電極に印加されるパルスに先行して立ち上がるようにしたので、維持放電は放電遅れの小さい放電となって実現される。
【手続補正１２】
【補正対象書類名】明細書
【補正対象項目名】００４０
【補正方法】変更
【補正の内容】
【００４０】
この発明のプラズマディスプレイパネルによれば、前記構成のプラズマディスプレイパネルにおいて、前記第３の電極に対して印加する放電促進パルスが、前記第１の電極及び第２の電極に印加されるパルスにより生じる放電の終了後速やかに立ち下がるようにしたので、電荷蓄積を十分行うことができる。
【手続補正１３】
【補正対象書類名】明細書
【補正対象項目名】００４１
【補正方法】変更
【補正の内容】
【００４１】
この発明のプラズマディスプレイパネルによれば、前記構成のプラズマディスプレイパネルにおいて、前記第３の電極を少なくとも２つの組に分け、特定の組の第３の電極に対して前記放電促進パルスを印加すると共に、前記放電促進パルスは、前記第１の電極及び第２の電極に印加されるパルスに先行して立ち上がり、前記第１の電極及び第２の電極に印加されるパルスにより生じる放電の終了後速やかに立ち下がるようにしたので、放電電流のピーク値を抑制することが可能になり、駆動回路の負担を軽減でき、かつ、表示不良の少ないプラズマディスプレイパネルが得られる。
また、この発明の第５の構成によるプラズマディスプレイパネルは、前記構成のプラズマディスプレイパネルにおいて、前記第３の電極を少なくとも２つの組に分け、前記第１の電極及び第２の電極に交互に印加される表示放電を行うパルスの周期を単位とする時間ごとに、異なる第３の電極の組が選択され、階調を表現する単位期間内において各々の第３の電極の組の選択される期間に含まれる前記表示放電を行うパルス数をすべてのセルにおいて均一にしたので、放電電流のピーク値を抑制しながら全選択セルの各サブフィールドにおける発光輝度のばらつきを最小に抑えることが可能になり、駆動回路の負担を軽減でき、かつ、表示不良が少なく輝度むらのないプラズマディスプレイパネルが得られる。